(57)【要約】【課題】種々のスポーツにおける人体への衝撃を緩和し、人体の、特に、関節のような損傷しやすい箇所を保護することができるスポーツ用衝撃緩和具を提供すること。【解決手段】スポーツ（球技）用衝撃緩和具１０は、手袋本体１２と手挿入部５０からなり、手甲のほぼ中央部分を覆う第１シート状部材３０と、第１指から第５指までの指の背の部分を覆う第２シート状部材３２と、手挿入部５０を覆う第３シート状部材３４が設けられている。これらの第１シート状部材３０、第２シート状部材３２、及び第３シート状部材３４として、衝撃吸収性にすぐれるポリウレタン近ゲル材エラストマを用いることにより、動作の自由性を損なうことなく、人体の必要箇所を、死球等の衝撃から保護するようにした。【選択図】図１
2007037637.tif 000002
【特許請求の範囲】
【請求項１】
スポーツをするとき身体の一部に装着される衝撃緩和具であって、
保護しようとする身体部位を覆う位置に、ポリウレタン近ゲル材エラストマからなるシート状部材を具えたことを特徴とする、
スポーツ用衝撃緩和具。
【請求項２】
手袋の形状をなし、少なくとも、手甲及び尺骨頭部を覆う位置に前記シート状部材を具えた、請求項１のスポーツ用衝撃緩和具。
【請求項３】
スポーツ用シューズ又はブーツに装着され、少なくとも、足の甲を覆う位置に前記シート状部材を具えた、請求項１のスポーツ用衝撃緩和具。
【請求項４】
スポーツ用レッグガードに装着され、少なくとも、脛を覆う位置に前記シート状部材を具えた、請求項１のスポーツ用衝撃緩和具。
【請求項５】
スポーツ用ストッキングの、少なくとも、脛を覆う位置に前記シート状部材を具えた、請求項１のスポーツ用衝撃緩和具。
【請求項６】
球技用グラブ又はミットの、少なくとも捕球面に前記シート状部材を具えた、請求項１のスポーツ用衝撃緩和具。
【請求項７】
スポーツ用アンダーパンツの、少なくとも、臀部を覆う位置に前記シート状部材を具えた、請求項１のスポーツ用衝撃緩和具。
【請求項８】
前記シート状部材を着脱可能にした、請求項１から７のいずれかのスポーツ用衝撃緩和具。
【請求項９】
スポーツをするとき身体の一部に装着される衝撃緩和具であって、
ポリウレタン近ゲル材エラストマからなるシート状部材を具え、全体としてシート形状をなす、
スポーツ用衝撃緩和具。
【発明の詳細な説明】
【技術分野】
【０００１】
本発明は、スポーツ用衝撃緩和具（プロテクタ）に関する。
【背景技術】
【０００２】
従来、スポーツ競技において、衝撃から身体を保護する目的のため、衝撃緩和具を装着することがあり、例えば、関節、及び衝撃を受け易い部位に衝撃緩和具を装着して骨折等の深刻な怪我を負うリスクを軽減させることが行なわれている。
【０００３】
特に、野球においては、打者は、死球、及び自打球等によって負傷する危険性がある。この場合、特に、手甲は、バットとボールに挟まれるように衝撃荷重を受け、皮下筋肉が薄いため、骨折する危険性が高く、さらに、尺骨頭は、皮下筋肉が薄い上に突起状に隆起している部分であることから、手甲と同じく、骨折する危険性が高い部分である。そこで、打撃時に着用する手袋は、ボールの衝突時における撃力から手を保護することができるような衝撃緩和性を有することが望まれる。
【０００４】
従来のこの種防護具（例えば、特許文献１参照。）には、身体上の装着位置からずれないように適合するとともに、身体保護の目的において効果的な衝撃抵抗力を有するものがある。
【０００５】
図９は、従来のこの種防護具１０’の斜視図である。
図９において、防護具１０’は、衝撃抵抗材料製の複数のプレート１５’が靭帯１６’に重なり合うように縫い付けられているものである。なお、防護具１０’は、靭帯１６’の両端部に、面ファスナからなる帯片１８’，１９’が設けられることにより、衣服から取り外すことができ、身体の任意の部分、特に、衝撃損傷を受け易い部分に設けられる。
【０００６】
この従来の防護具１０’によれば、衣服等に着脱可能であるようにした場合、異なる保護特性のものを使用することが可能であり、また、目的に応じ、様々な衣服に取付けることも可能となる。
また、この防護具１０’は、スポーツ競技において使用されるのが典型的であるが、例えば、医療分野においても、手足が動かないようにする場合、又は衝撃から身体を保護する必要があるような場合にも使用することができる。
【特許文献１】特表２００３−５３３３０４号公報
【０００７】
次に、従来の野球用手袋（例えば、特許文献２参照。）１００ａ’を、図１０を参照して説明する。
図１０は、従来の野球用手袋１００ａ’を手甲側から見た図である。
【０００８】
図１０において、従来の野球用手袋１００ａ’は、主として薄手の合成皮革によって形成された手袋主体１ａ’と、手首位置の装着ベルト８ａ’とが一体的な形をなす。なお、装着ベルト８ａ’は、雌雄面ファスナ８０ａ’，８１ａ’によって開閉可能に設けられる。
【０００９】
手甲の第２指から第５指の中手骨部上において、直線状のスリット１０ａ’と、スリット１０ａ’の両端から手首側に向う直線状のスリット１１ａ’がコ字状の形をなすことにより、切欠部１２ａ’が設けられている。また、この切欠部１２ａ’の内面側から、伸縮性を有する伸縮性シート２ａ’が縫着され、第２指から第５指部分には、通気孔１３ａ’が列設されている。
【００１０】
なお、従来の野球用手袋１００ａ’を構成する素材には、天然又は合成皮革以外の部材が殆ど用いられておらず、やや薄手の皮革により構成されている。また、バットを握持した際、手の動きに合わせて伸縮性シート２ａ’が伸縮するので、手袋を着用した際の手の自由性が確保される。
【特許文献２】特開平１０−１７９７９３号公報
【発明の開示】
【発明が解決しようとする課題】
【００１１】
ところが、靭帯に衝撃抵抗用のプレートを重ね合わせた従来の防護具の場合、複数の剛体、又は半剛体のプレートが、共通の靭帯に沿って配列されたものである。従って、身体を保護するための衝撃緩和性を有しつつ、且つ、スポーツ競技における繊細な身体動作に合うような伸縮性を得ることが困難であり、身体動作の自由性が損なわれてしまうという問題があった。
【００１２】
また、野球競技において、打者は、打撃時に繊細なバットコントロールを必要とする。そのため、打者が着用する手袋、又はスポーツ用衝撃緩和具は、打撃時の死球によるボールとの撃力から打者の手を保護することができ、且つ、手を動かす際の抵抗が小さいことが望まれる。ところが、上記従来の野球用手袋は、十分な衝撃吸収力を有するものではなく、ボールとの衝突時における撃力から身体を保護するには好適でない。
【課題を解決するための手段】
【００１３】
本発明は、スポーツをするとき身体の一部に装着される衝撃緩和具であって、  保護しようとする身体部位を覆う位置に、ポリウレタン近ゲル材エラストマからなるシート状部材を具えたことを特徴とするスポーツ用衝撃緩和具（請求項１）、及び、
スポーツをするとき身体の一部に装着される衝撃緩和具であって、
ポリウレタン近ゲル材エラストマからなるシート状部材を具え、全体としてシート形状をなすスポーツ用衝撃緩和具（請求項９）により、前記課題を解決した。
請求項１のスポーツ用衝撃緩和具は、手袋、スポーツ用シューズ又はブーツ、スポーツ用レッグガード、スポーツ用ストッキング、球技用グラブ又はミット、スポーツ用アンダーパンツ等の形態を取ることができ、請求項９のスポーツ用衝撃緩和具は、それ自体がシート形状をなすので、身体の任意の部位に装着することができる。
【発明の効果】
【００１４】
本発明のスポーツ用衝撃緩和具によれば、野球で、打者が死球を受けた場合等において、ボールの衝突による骨折のような危険性を大幅に低減させることができる。
【００１５】
また、着用者は、身体の任意の部位に装着してその部位を衝撃から保護するようにすることもできる。
【発明を実施するための最良の形態】
【００１６】
図１から図３を参照して、本発明の第１実施形態を説明する。
図１は、本発明の第１実施形態のスポーツ用衝撃緩和具１０を手甲側から見た図である。
図２は、人体の左手の骨格を示した図である。
図３は、本発明に用いる衝撃緩和素材として好適なノンブレン（株式会社枚方技研社製ポリウレタン近ゲル材エラストマ、商品名「ノンブレン」）の衝撃吸収性を示した図で、図３（ａ）は、ノンブレンの厚み（ｍｍ）と衝撃吸収率（％）の関係を示した図、図３（ｂ）は、ノンブレンと他素材との衝撃吸収性の比較図である。
【００１７】
この第１実施形態において、スポーツ用衝撃緩和具１０は、手甲側、及び掌側を覆う手袋本体１２と手挿入部５０からなる。また、手袋本体１２には、着用時に、手の親指（第１指）に相当する部位に親指部２０と、人指し指（第２指）に相当する部位に人指し指部２２と、中指（第３指）に相当する部位に中指部２４と、薬指（第４指）に相当する部位に薬指部２６と、小指（第５指）に相当する部位に小指部２８が設けられている。なお、手袋本体１２と手挿入部５０は、別々に形成されたものを一体的に結合してもよいが、手袋本体１２と手挿入部５０が一体的に立体裁断されたものを用いてもよい。
【００１８】
手袋本体１２は、手袋本体１２の第１指から第５指の背部分と手甲部分を覆う第１素材部３８と、その第１素材部３８を囲むように手全体を覆う第２素材部３９が一体的に合わされてなる。
【００１９】
第１素材部３８には、好ましくは、伸縮性・通気性を有する天然・化学繊維を用いた織布又は不織布を用いるとよいが、天然・合成皮革等の素材を用いてもよい。
なお、第１素材部３８に伸縮性を有する素材を用いた場合、第１素材部３８は、使用者の手の動き、及び大きさに伴って伸縮し、使用者の手を圧迫しないようにすることができる。
【００２０】
第２素材部３９には、バットを握る際の滑止効果を得ることができるようにするため、天然・合成皮革を用いるとよいが、その他に、天然、若しくは化学繊維を用いた織布、若しくは不織布や、又はゴム、エラストマ、ウレタン等の素材を用いてもよい。
【００２１】
手挿入部５０は、面ファスナ、スナップボタン、又はプレススタッド等の繰返し着脱可能なものを設けることにより、開閉・調節可能な構成であるようにする。なお、好ましくは、手挿入部５０は、図２に示される、手根部（手首）５４だけでなく、尺骨頭部５２を含む、尺骨部５６、及び橈骨部５８も保護するように、手首から肘の方向へ長く覆う形状とすることにより、手首、及び前腕が負傷する危険性を軽減することができる。
【００２２】
手甲（中手骨、及び手根骨部）を覆うように、第１シート状部材３０が設けられている。
また、第２シート状部材３２が、第１指から第５指まで少なくとも１本の指の背の部分（基節骨、及び中節骨部）を覆うように設けられている。好ましくは、指先（末節骨部）は手甲に比べて死球を受ける可能性が低いため、この第２シート状部材３２は、第１弾性部材３０よりも薄く設けてもよい。
なお、図示は省略するが、上述の箇所とは別に、第２シート状部材３２を、第５指の末節骨から尺骨近位まで、すなわち、手の側面部分を覆うように設けてもよい。
【００２３】
第１シート状部材３０、及び第２シート状部材３２は、第１素材部３８、及び第２素材部３９の上から重ね合わせるように設けることができるが、重ね合わせるのではなく、第１素材部３８、及び第２素材部３２によって囲まれるように、縫着、又は接着されてもよい。なお、第１シート状部材３０、及び第２シート状部材３２は、面ファスナやスナップボタン等の係止手段を用いることにより、手袋本体１２から取外し可能な構成にしてもよい。
【００２４】
手挿入部５０を覆うように、後述する第３シート状部材３４が設けられている。
第３シート状部材３４は、手挿入部５０に縫着、或いは接着等の方法により、一体的な構成にするのが普通であるが、面ファスナやスナップボタン等の係止手段を用いることにより、取外し可能なように設けることもできる。
【００２５】
第１シート状部材３０，第２シート状部材３２，及び第３シート状部材３４の素材としては、前述のノンブレンが好適であるが、勿論、それと同等の素材を使用することができる。
図３（ａ）において、ノンブレンは、厚さが１ｍｍから２ｍｍの間において衝撃吸収率が８０％を超え、厚さが３ｍｍを超えると、ほぼ１００％に近い衝撃吸収率を得ることができることが分かる。
図３（ｂ）は、１０ｍｍの試験片（ノンブレン）に鋼球（６４ｇ，Φ２５ｍｍ）を１５０ｍｍの高さから自然落下させ、ロードセル（荷重変換器）で測定した値を元に衝撃吸収率を計算し、比較した図であり、他の弾性素材に比べて、ノンブレンが極めて優れた衝撃吸収性を有することが分かる。
【００２６】
このノンブレンは、長期間に亘って屈曲運動を行った場合においても、強い耐久性を有するとともに、さらに、横方向への引裂きに対する耐久性も有することが特徴であり、超軟質エラストマであるので、身体部位の伸び縮みによく対応することができる。
【００２７】
なお、第１シート状部材３０，第２シート状部材３２，及び第３シート状部材３４には、通気性を確保するため、通気孔３６を設けることが望ましい。
【００２８】
次に、図４を参照して、本発明の第２実施形態を説明する。
図４は、本発明の第２実施形態のスポーツ用衝撃緩和具１０ｂをスポーツシューズに適用した場合の図である。
【００２９】
図４において、スポーツ用衝撃緩和具１０ｂは、複数の通気孔３６ｂが設けられたシート状部材３０ｂからなる。また、シート状部材３０ｂには、靴の踵（踵骨）部分に留めるように固定するための止帯４６ｂが設けられている。
【００３０】
このスポーツ用衝撃緩和具１０ｂは、少なくとも、足の甲（中足骨、楔状骨、立方骨、舟状骨、及び距骨部分）を覆うような形状とすることにより、例えば、野球において、自打球等の衝撃から、足の甲を保護することができる。
なお、スポーツシューズは、保護機能を高めるために、稀に、ブーツの形状をなす場合があるが、本発明は、そのようなブーツにも適用できることは勿論である。
【００３１】
次に、図５を参照して、本発明の第３実施形態を説明する。
図５は、本発明の第３実施形態のスポーツ用衝撃緩和具１０ｃ及び１０ｄを、野球及びソフトボール用のレッグガードに適用した場合の図である。
【００３２】
図５において、スポーツ用衝撃緩和具１０ｃ及び１０ｄは、レッグガードの定位置に取付けるための止帯４６ｃ，４６ｄがシート状部材３０ｃ，３０ｄに各々設けられている。
【００３３】
スポーツ用衝撃緩和具１０ｃ，１０ｄは、少なくとも、足の脛（脛骨、及び腓骨部分）を覆うような形状とすることにより、ボール、及び他競技者と衝突した際の衝撃に対する保護性を得ることができる。また、例えば、止帯４６ｃ，４６ｄを設けずに、スポーツ用衝撃緩和具１０ｃ及び１０ｄをレッグガードに縫着、又は接着等の方法により設けてもよい。
【００３４】
なお、好ましくは、第２及び第３実施形態において、シート状部材の外周に、アルミニウム合金等を用いた針金のように、変形による金属疲労に対する抵抗力を有する素材を用いた形状保持部材４２ｂ,４２ｃ,４２ｄを設ける。それにより、例えば、マスクの形状を鼻のラインに合わせて固定する仕組で周知のように、シート状部材の形状を、スポーツ用シューズ，又はスポーツ用レッグガードの形状に合わせてシート状部材の形状を固定し、装着した際の位置がずれないようにする。
【００３５】
次に、図６を参照して、本発明の第４実施形態を説明する。
図６は、本発明の第４実施形態のスポーツ用衝撃緩和具１０ｅをストッキングに適用した図である。
【００３６】
図６において、スポーツ用衝撃緩和具１０ｅは、複数の通気孔３６ｅが設けられたシート状部材３０ｅからなる。なお、シート状部材３０ｅを、筒状に縫製されたストッキングに、少なくとも、足の脛（脛骨、及び腓骨部分）が覆われるように設ける。それにより、ボール、及び他競技者と衝突した際の衝撃に対する保護性を得ることができる。また、スポーツ用衝撃緩和具１０ｅは、ストッキングに縫着、又は接着等の方法により設けてもよい。
【００３７】
次に、図７を参照して、本発明の第５実施形態を説明する。
図７は、本発明の第５実施形態のスポーツ用衝撃緩和具１０ｆを球技、すなわち、野球、又はソフトボール用グラブに適用した図である。
【００３８】
図７において、スポーツ用衝撃緩和具１０ｆは、野球、又はソフトボール用グラブ（ミットを含む。）に、複数のシート状部材３０ｆを設けてなる。
天然、及び人工皮革からなる捕球面と背面が縫製され、第１指から第５指までを保護する指部を有する野球、又はソフトボール用グラブにおいて、捕球面の第１指部から第５指部までの全ての指、及び掌全体に相当する位置に、シート状部材３０ｆが露出するように設けられている。なお、シート状部材３０ｆは、捕球面の全面の範囲で設けてもよく、また、捕球面の内側に、シート状部材３０ｆが露出しないように設けてもよい。
【００３９】
なお、シート状部材３０ｆを捕球面の表面に設けた場合、装着者が捕球する際、指及び掌を保護するだけでなく、シート状部材３０ｆの摩擦力により、ボールをグラブの中に確実に保持し易くすることができる。
【００４０】
次に、図８を参照して、本発明の第６実施形態を説明する。
図８は、本発明の第６実施形態のスポーツ用衝撃緩和具１０ｇを、アンダーパンツに適用し、便宜上、シート状部材３０ｇが見えるように被覆布の一部を切り欠いて示した図である。
【００４１】
通常、スポーツ用アンダーパンツは、ユニフォームパンツの内側から着用し、競技中のスライディング等の地面と臀部の摺接を伴う動作の際、地面との摩擦による臀部等の保護を主な目的とするものである。
なお、シート状部材３６ｇは、大腿筋膜張筋、及び大殿筋等の臀部全体を覆うように設けてもよいが、目的に応じ、大殿筋の一部のみ等のように局所的に設けてもよい。
【図面の簡単な説明】
【００４２】
【図１】本発明の第１実施形態のスポーツ用衝撃緩和具を手甲側から見た図。
【図２】人体の左手の骨格を示した図。
【図３】本発明に用いる弾性素材として好適なノンブレンの衝撃吸収性を示した図で、  図３（ａ）は、ノンブレンの厚み（ｍｍ）と衝撃吸収率（％）の関係を示した図、図３（ｂ）は、ノンブレンと他素材との衝撃吸収性の比較図である。
【図４】本発明の第２実施形態のスポーツ用衝撃緩和具をスポーツ用シューズに適用した図。
【図５】本発明の第３実施形態において、複数のスポーツ用衝撃緩和具を、野球及びソフトボール用のレッグガードに適用した図。
【図６】本発明の第４実施形態のスポーツ用衝撃緩和具を、ストッキングに適用した図。
【図７】本発明の第５実施形態のスポーツ用衝撃緩和具を球技用グラブに適用した図。
【図８】本発明の第６実施形態のスポーツ用衝撃緩和具を、アンダーパンツに適用し、便宜上、シート状部材が見えるように被覆布の一部を切り欠いて示した図。
【図９】従来の防護具の斜視図。
【図１０】従来の野球用手袋を手甲側から見た図。
【符号の説明】
【００４３】
１０,１０ｂ,１０ｃ,１０ｄ,１０ｅ,１０ｆ,１０ｇ：スポーツ用衝撃緩和具
３０，３０ｂ，３０ｃ，３０ｄ，３０ｅ，３０ｆ，３０ｇ，３２，３４：シート状部材
【図１】
2007037637.tif 000003
【図２】
2007037637.tif 000004
【図３】
2007037637.tif 000005
【図４】
2007037637.tif 000006
【図５】
2007037637.tif 000007
【図６】
2007037637.tif 000008
【図７】
2007037637.tif 000009
【図８】
2007037637.tif 000010
【図９】
2007037637.tif 000011
【図１０】
2007037637.tif 000012